(57)【要約】    【課題】  運搬時の梱包サイズを小さくすることができる電動ベッドを提供する。    【解決手段】  電動ベッド１において、ベッド本体１１を設け、ベッド本体１１を支持する支持部２をベッド本体１１のベッドフレーム２７に対して着脱自在に設ける。また、２つのアクセサリーフレーム３１及び３２を夫々ベッドフレーム２７の頭部側及び足部側に着脱自在に取り付ける。そして、ベッドフレーム２７上に腰ボトム５２、膝ボトム５３及び足ボトム５４を載置する。また、回転軸部材１５に１対の背上リンク１６を回転可能に連結し、この背上リンク１６上に背ボトム５１を載置する。そして、電動ベッド１の運搬時には、背上リンク１６をベッドフレーム２７内に収納できるようにする。【選択図】  図１
2005087374.tif 000002
【特許請求の範囲】
【請求項１】
ベッドフレームと、このベッドフレームに回転可能に支持された背上リンクと、この背上リンクに支持される背ボトムを含む複数のボトムと、前記ベッドフレームの頭部側及び足部側に着脱自在に連結された第１及び第２のアクセサリーフレームと、前記ベッドフレームに装着され前記背上リンクを駆動するアクチュエータと、を有し、前記第１及び第２のアクセサリーフレームと前記ベッドフレームとが連結されてベッドとして機能するときに前記背上リンクは平面視で前記第１のアクセサリーフレーム内に配置され、前記第１及び第２のアクセサリーフレームと前記ベッドフレームとが３体に分割されたときに、前記背上リンクは平面視で前記ベッドフレーム内に収まることを特徴とする電動ベッド。
【請求項２】
前記背上リンクの回転軸に起動リンクが回転可能に支持されており、前記アクチュエータの駆動軸は前記起動リンクの先端に回転自在に連結されて前記起動リンクを回転駆動し、前記起動リンクは前記背上リンクが起き上がる方向の背上リンクの回転を許容し、逆方向の回転を阻止するように、前記背上リンクの回転を拘束することを特徴とする請求項１に記載の電動ベッド。
【請求項３】
前記背上リンクの回転軸は前記ベッドフレームに対して回転可能に連結された回転軸部材であり、前記背上リンクは前記回転軸部材に対して固定されており、前記起動リンクは前記アクチュエータの駆動軸が延出するときに前記背上リンクが起き上がる第１の方向に回転し前記駆動軸が収縮するときに前記逆方向に回転するものであり、前記起動リンクの移動域に介在し前記起動リンクが前記第１の方向に回転するときに前記起動リンクに当接する突出部を備え前記回転軸部材に固定されたリンクストッパと、を有することを特徴とする請求項２に記載の電動ベッド。
【請求項４】
前記起動リンクは前記回転軸部材の軸方向に延出した部分を備え、前記リンクストッパの突出部は前記回転軸部材から遠ざかる方向に延出して前記起動リンクにおける軸方向に延出した部分の移動域に介在するものであることを特徴とする請求項３に記載の電動ベッド。
【請求項５】
前記リンクストッパの突出部は前記回転軸部材の軸方向に延出し前記起動リンクの移動域に介在するピンであることを特徴とする請求項３に記載の電動ベッド。
【請求項６】
前記背上リンクの回転軸に起動リンクが固定されており、前記アクチュエータの駆動軸は前記起動リンクの先端に回転自在に連結されて前記起動リンクを回転駆動することにより前記背上リンクを回転駆動し、前記背上リンクをこの背上リンクが前記ベッドフレーム内に収納されるまで回転させたときに、前記アクチュエータの駆動軸がこの回転に追従して延出されることを特徴とする請求項１に記載の電動ベッド。
【請求項７】
前記背上リンクの回転軸に起動リンクが固定されており、前記アクチュエータの駆動軸は前記起動リンクの先端に回転自在且つ着脱自在に連結されて前記起動リンクを回転駆動することにより前記背上リンクを回転駆動することを特徴とする請求項１に記載の電動ベッド。
【請求項８】
前記ベッドフレームに着脱自在に連結され前記ベッドフレームを支持する支持部を有することを特徴とする請求項１乃至７のいずれか１項に記載の電動ベッド。
【発明の詳細な説明】
【技術分野】
【０００１】
本発明は、ベッドの背の部分を電動で動かすことができる介護用ベッド等に好適な電動ベッドに関する。
【背景技術】
【０００２】
近時、高齢化社会の到来に伴い、寝たきりの患者が増加している。寝たきりの患者にとっても、医療処置、食事、テレビ観賞及び読書等を行うために、時折ベッド上で上半身を起こす必要がある。そこで、ベッドの背ボトム及び膝ボトムを電動で起こしたり寝かしたりすることができる電動ベッドが開発されている（例えば、特許文献１参照。）。このような電動ベッドにおいては、ベッド本体が設けられており、このベッド本体上に、頭部側から足部側に向かって、背ボトム、腰ボトム、膝ボトム及び足ボトムがこの順に配置されている。そして、これらのボトム上にマットレスが載置されるようになっている。
【０００３】
また、ベッド本体には電動のアクチュエータが取り付けられており、このアクチュエータが、ベッド本体上に設けられた背ボトム及び膝ボトム等の傾斜角度を変えるようになっている。更に、ベッド本体は床面に接地された支持部により支持されており、ベッド本体に取り付けられたアクチュエータが支持部の高さを変えることにより、ベッド本体の床面からの高さを変えられるようになっている。更にまた、ベッド本体には、柵又は介助バー等の付属品を取り付けるためのアクセサリーフレームが取り付けられている。
【０００４】
【特許文献１】特開２００１−３７８２０号公報
【発明の開示】
【発明が解決しようとする課題】
【０００５】
しかしながら、上述の従来の技術には、以下に示すような問題点がある。最近、在宅で介護を行う事例が増加している。在宅介護を行う場合は、介護用の電動ベッドを患者の自宅に搬入して使用する必要がある。しかし、電動ベッドはそのサイズが大きく、一方、一般住宅の玄関及び廊下の幅は病院等の施設と比較して小さいため、一般住宅への電動ベッドの搬入及び搬出は極めて困難である。このため、電動ベッド搬入及び搬出作業に伴い、作業者に大きな肉体的負担をかけると共に、家具及び壁等に衝突して、家具、壁又は電動ベッドを損傷する虞がある。
【０００６】
本発明はかかる問題点に鑑みてなされたものであって、運搬時の梱包サイズを小さくすることができる電動ベッドを提供することを目的とする。
【課題を解決するための手段】
【０００７】
本発明に係る電動ベッドは、ベッドフレームと、このベッドフレームに回転可能に支持された背上リンクと、この背上リンクに支持される背ボトムを含む複数のボトムと、前記ベッドフレームの頭部側及び足部側に着脱自在に連結された第１及び第２のアクセサリーフレームと、前記ベッドフレームに装着され前記背上リンクを駆動するアクチュエータと、を有し、前記第１及び第２のアクセサリーフレームと前記ベッドフレームとが連結されてベッドとして機能するときに前記背上リンクは平面視で前記第１のアクセサリーフレーム内に配置され、前記第１及び第２のアクセサリーフレームと前記ベッドフレームとが３体に分割されたときに、前記背上リンクは平面視で前記ベッドフレーム内に収まることを特徴とする。
【０００８】
本発明においては、電動ベッドの運搬時に、ベッドフレームからアクセサリーフレームを分離することができるため、運搬時の梱包サイズを小さくすることができる。また、アクセサリーフレームが第１及び第２の２つのアクセサリーフレームから構成されているため、アクセサリーフレームの梱包サイズを小さくすることができる。このとき、第１のアクセサリーフレームが前記ベッドフレームの頭部側に連結されており、前記第２のアクセサリーフレームが前記ベッドフレームの足部側に連結されているため、第１及び第２のアクセサリーフレームの形状を垂直方向から見て正方形に近い形状とすることができ、アクセサリーフレームの梱包サイズをより一層小さくすることができる。更に、背上リンクがベッドフレーム内に収納可能であるため、ベッドフレームを含む梱包体のサイズを小さくすることができる。
【０００９】
また、前記背上リンクの回転軸に起動リンクが回転可能に支持されており、前記アクチュエータの駆動軸は前記起動リンクの先端に回転自在に連結されて前記起動リンクを回転駆動し、前記起動リンクは前記背上リンクが起き上がる方向の背上リンクの回転を許容し、逆方向の回転を阻止するように、前記背上リンクの回転を拘束するものであってもよい。これにより、背上リンクが起き上がる方向の背上リンクの回転が許容されているため、背上リンクをベッドフレーム内に収納されるまで回転させることができる。
【００１０】
このとき、前記背上リンクの回転軸は前記ベッドフレームに対して回転可能に連結された回転軸部材であり、前記背上リンクは前記回転軸部材に対して固定されており、前記起動リンクは前記アクチュエータの駆動軸が延出するときに前記背上リンクが起き上がる第１の方向に回転し前記駆動軸が収縮するときに前記逆方向に回転するものであり、前記起動リンクの移動域に介在し前記起動リンクが前記第１の方向に回転するときに前記起動リンクに当接する突出部を備え前記回転軸部材に固定されたリンクストッパと、を有していてもよい。これにより、背上リンクを第１の方向に回転させると、リンクストッパの突出部が起動リンクから離れ、背上リンクがアクチュエータから開放される。この結果、背上リンクを十分に回転させて枠体内に収納することができる。
【００１１】
又は、前記背上リンクの回転軸に起動リンクが固定されており、前記アクチュエータの駆動軸は前記起動リンクの先端に回転自在に連結されて前記起動リンクを回転駆動することにより前記背上リンクを回転駆動し、前記背上リンクをこの背上リンクが前記ベッドフレーム内に収納されるまで回転させたときに、前記アクチュエータの駆動軸がこの回転に追従して延出されてもよい。これにより、背上リンクを十分に回転させて枠体内に収納することができる。
【００１２】
又は、前記背上リンクの回転軸に起動リンクが固定されており、前記アクチュエータの駆動軸は前記起動リンクの先端に回転自在且つ着脱自在に連結されて前記起動リンクを回転駆動することにより前記背上リンクを回転駆動してもよい。これにより、起動リンクをアクチュエータの可動部分から外すことにより、背上リンクがアクチュエータから開放される。この結果、背上リンクを十分に回転させて枠体内に収納することができる。
【発明の効果】
【００１３】
本発明によれば、ベッドフレーム並びに第１及び第２のアクセサリーフレームを相互に分離し、背上リンクをベッドフレーム内に収納できるため、電動ベッドを小さく梱包することができる。これにより、運搬時の作業性が向上し、作業者の肉体的負担を軽減すると共に、運搬に伴って周囲の家具及び壁並びに電動ベッド自体に損傷を及ぼすことを防止できる。
【発明を実施するための最良の形態】
【００１４】
以下、本発明の実施形態について添付の図面を参照して具体的に説明する。先ず、本発明の第１の実施形態について説明する。図１は本実施形態に係る電動ベッドを示す平面図であり、図２はその側面図であり、図３はこの電動ベッドの支持台を示す平面図であり、図４はこの電動ベッドのベッド本体を示す平面図であり、図５はこのベッド本体を示す一部拡大側面図であり、図６はこの電動ベッドのアクセサリーフレームを示す平面図である。なお、以下の説明において、ベッドに人が仰向けに寝たときに、その人の頭が位置する側を頭部側といい、足が位置する側を足部側といい、頭部側から足部側に向かう方向を長手方向といい、右手から左手に向かう方向を幅方向という。
【００１５】
図１乃至図３に示すように、本実施形態に係る電動ベッド１においては、支持部２が設けられている。支持部２には支持フレーム３が設けられており、支持フレーム３は４本のパイプ３ａ〜３ｄにより垂直方向から見てほぼ矩形の枠状形状となるように形成されている。パイプ３ａは支持フレーム３の頭部側に位置し幅方向に延びており、パイプ３ｂは支持フレーム３の足部側に位置し幅方向に延びており、パイプ３ｃは支持フレーム３の左手側に位置し長手方向に延びており、パイプ３ｄは支持フレーム３の右手側に位置し長手方向に延びている。また、支持フレーム３の各角部には支持台４が設けられている。パイプ３ａ及び３ｂには夫々１対のリンク支持部５ａ及び５ｂが溶接により固定されており、リンク支持部５ａにはリンク６ａが回転可能に連結されており、リンク支持部５ｂにはリンク６ｂが回転可能に連結されている。また、リンク６ａ間には支軸部材７ａが固定されており、リンク６ｂ間には支軸部材７ｂが固定されている。更に、支軸部材７ａ及び７ｂには夫々リンク８ａ及び８ｂが固定されており、リンク８ａとリンク８ｂとの間には長手方向に延びる連結部材９が設けられている。リンク８ａと連結部材９の一端部との連結部、及びリンク８ｂと連結部材９の他端部との連結部は、夫々回転可能となっている。更にまた、支軸部材７ａにはリンク１０が固定的に連結されている。
【００１６】
また、図１、図２及び図４に示すように、支持部２上には、ベッド本体１１が設けられている。ベッド本体１１においては、長手方向に延び、ベッド本体１１の両側部を構成する２本のパイプ１２ａ及び１２ｂが設けられている。そして、ベッドの足部側においてパイプ１２ａとパイプ１２ｂとを相互に連結するパイプ１３ａが設けられており、ベッドの長手方向中央部においてパイプ１２ａとパイプ１２ｂとを相互に連結するパイプ１３ｂが設けられている。また、パイプ１２ａ及び１２ｂの両端部には、合計４個の爪部材１４が取り付けられている。爪部材１４はパイプ１２ａ及び１２ｂから下方に向かって延びており、その下端部には切込１４ａが形成されている。爪部材１４は、切込１４ａが支持部２のパイプ７ａ及び７ｂに嵌合し、軸２０によりパイプ７ａ及び７ｂに連結されている。軸２０は、２本の軸が相互に平行に連結されたコ字形状の部品であり、一方の軸がパイプ７ａ及び７ｂの端部に嵌合され、他方の軸（図示せず）が爪部材１４の孔部（図示せず）に嵌合されることにより、爪部材１４とパイプ７ａ及び７ｂとを相互に外れないように連結するものである。これにより、ベッド本体１１が支持部２に連結されている。更に、ベッドの頭部側に配置された爪部材１４間には、回転軸部材１５が回転可能に設けられている。これにより、パイプ１２ａ、１２ｂ、１３ａ及び１３ｂ並びに回転軸部材１５からベッドフレーム２７が形成されている。更にまた、回転軸部材１５には、１対の背上リンク１６が固定的に連結されている。ベッド使用時には、背上リンク１６は回転軸部材１５から頭部側に向かって延びており、従って、背上リンク１６はベッドフレーム２７の外側に位置している。更にまた、回転軸部材１５には起動リンク１７が連結されている。
【００１７】
一方、ベッド本体１１上には、頭部側から足部側に向かって、背ボトム５１、腰ボトム５２、膝ボトム５３及び足ボトム５４が設けられている。背ボトム５１は背上リンク１６上に位置し、背ボトム支持材５５を介して背上リンク１６上に載置されている。また、腰ボトム５２、膝ボトム５３及び足ボトム５４はベッドフレーム２７上に位置している。背ボトム５１はその足部側の端部を軸として回転する。また、膝ボトム５３はその頭部側の端縁を軸として回転し、足ボトム５４はその頭部側の端部が膝ボトム５３の足部側の端部に回転可能に連結されているため、膝ボトム５３の動作に連動して動作する。
【００１８】
また、ベッド本体１１のパイプ１３ｂには、アクチュエータ２１及び２２が取り付けられている。アクチュエータ２１はシリンダ２１ａ及びピストン２１ｂを備え、電動でピストン２１ｂをその長手方向に動かすものである。そして、ピストン２１ｂの先端は起動リンク１７に回転可能に連結されている。これにより、アクチュエータ２１はピストン２１ｂをその長手方向に動かすことにより、起動リンク１７を介して回転軸部材１５を回転させ、背上リンク１６、背ボトム支持材５５及び背ボトム５１を回転させる。同様に、アクチュエータ２２はシリンダ２２ａ及びピストン２２ｂを備え、電動でピストン２２ｂをその長手方向に動かすものである。ピストン２２ｂの先端はリンク１０に回転可能に連結されている。これにより、アクチュエータ２２はピストン２２ｂをその長手方向に動かすことにより、リンク１０を介して支軸部材７ａを回転させ、支軸部材７ａと支持フレーム３との間の距離を変化させる。これにより、支持部２の高さを変化させることができる。なお、パイプ１３ａには、アクチュエータ２３（図８（ａ）参照）も取り付けられているが、図１、図２及び図４においては、アクチュエータ２３は図示を省略されている。
【００１９】
図５は、ベッド本体１１における回転軸部材１５と背上リンク１６との連結部分及び回転軸部材１５と起動リンク１７との連結部分を示す図である。図５に示すように、回転軸部材１５には背上リンク１６が固定されている。また、回転軸部材１５にはリンクストッパ１８も固定されている。幅方向から見たリンクストッパ１８の形状は、回転軸部材１５の周囲を約半周にわたって囲むような半環形状となっており、その外側面には回転軸部材１５から遠ざかる方向に延出した突出部１８ａが形成されている。更に、回転軸部材１５には起動リンク１７の一端部が回転可能に連結されている。起動リンク１７には突出部１７ａが形成されており、この突出部１７ａは回転軸部材１５の軸方向に突出している。この結果、リンクストッパ１８の突出部１８ａは起動リンク１７の突出部１７ａの移動域に介在し、リンクストッパ１８の突出部１８ａに当接面１９において当接するようになっている。また、前述の如く、起動リンク１７の他端部にはアクチュエータ２１はピストン２１ｂがピン２５により回転可能に連結されている。
【００２０】
更に、図１、図２及び図６に示すように、ベッドフレーム２７の頭部側にはアクセサリーフレーム３１が取り付けられており、足部側にはアクセサリーフレーム３２が取り付けられている。アクセサリーフレーム３１においては、足部側が開口したコ字形状の本体部３３が設けられており、この本体部３３から頭部側、右手側及び左手側に夫々張り出した枠状の張出部３４、３５及び３６が設けられている。そして、本体部３３の足部側の端部には切込（図示せず）が形成されており、この切込がベッドフレーム２７のパイプ１２ａ及び１２ｂから夫々左手側及び右手側に突出した軸（図示せず）に嵌合されている。また、本体部３３は２個のボルト４５により、ベッドフレーム２７のパイプ１２ａ及び１２ｂに連結されている。これにより、アクセサリーフレーム３１はベッドフレーム２７に固定されている。
【００２１】
また、アクセサリーフレーム３２においては、頭部側が開口したコ字形状の本体部３７が設けられており、この本体部３７から足部側、右手側及び左手側に夫々張り出した枠状の張出部３８、３９及び４０が設けられている。そして、本体部３７の頭部側の端部には切込（図示せず）が形成されており、この切込がベッドフレーム２７のパイプ１２ａ及び１２ｂから夫々左手側及び右手側に突出した軸（図示せず）に嵌合されている。また、本体部３７は２個のボルト４６により、ベッドフレーム２７のパイプ１２ａ及び１２ｂに連結されている。これにより、アクセサリーフレーム３２はベッドフレーム２７に固定されている。アクセサリーフレーム３１の頭部側の張出部３４には、例えば天板６１が取り付けられる。また、アクセサリーフレーム３２の張出部３８には、例えば足板６２が取り付けられる。更に、右手側又は左手側に張り出した張出部３５、３６、３９、４０には、例えばカバー６３が取り付けられる。
【００２２】
次に、上述の如く構成された本実施形態に係る電動ベッドの動作について説明する。先ず、ベッド本体１１の床面からの高さを変化させる動作について説明する。ベッド本体１１を高くするときには、図１に示すように、アクチュエータ２２に電力を供給し、そのピストン２２ｂを長手方向に延伸させる。すると、このピストン２２ｂがリンク１０を押圧し、支軸部材７ａが回転する。この支軸部材７ａの回転がリンク８ａ、連結部材９及びリンク８ｂを介して支軸部材７ｂに伝達され、支軸部材７ｂも回転する。これにより、リンク６ａが支軸部材７ａを軸として回転すると共に、リンク６ｂが支軸部材７ｂを軸として回転する。これにより、支軸部材７ａ及び７ｂと支持フレーム３との間の距離が大きくなる。この結果、支持部２の高さが高くなり、ベッド本体１１の床面からの高さが高くなる。一方、アクチュエータ２２のピストン２２ｂを収縮させることにより、ベッド本体１１の床面からの高さが低くなる。
【００２３】
次に、背ボトムの傾斜角度を変化させる動作について説明する。背ボトム５１を起立させるときには、図１に示すように、アクチュエータ２１に電力を供給し、そのピストン２１ｂを長手方向に延伸させる。すると、図５に示すように、ピストン２１ｂが方向７１に延伸し、起動リンク１７が回転軸部材１５を回転軸として方向７２に回転する。これにより、起動リンク１７の突出部１７ａがリンクストッパ１８の突出部１８ａに当接面１９において当接し、リンクストッパ１８を押圧する。これにより、回転軸部材１５は方向７３に回転し、背上リンク１６が方向７３に回転する。この結果、図２に示すように、背ボトム支持材５５と共に背ボトム５１がその足部側の端部を軸として回転し、背ボトム５１が起き上がる。一方、背ボトム５１を寝かせるときには、図１に示すように、アクチュエータ２１のピストン２１ｂを収縮させる。これにより、図５に示すように、ピストン２１ｂが方向７４に移動し、起動リンク１７が回転軸部材１５を回転軸として方向７５に回転する。これにより、起動リンク１７の突出部１７ａがリンクストッパ１８の突出部１８ａから離隔する方向に移動する。しかし、背ボトム５１及び背ボトム支持材５５等の重みにより、リンクストッパ１８の突出部１８ａが起動リンク１７の突出部１７ａに当接したまま、背上リンク１６は方向７６に回転する。この結果、背ボトム支持材５５及び背ボトム５１もその足部側の端部を軸として方向７６に回転する。これにより、背ボトム５１を寝かせることができる。また、同様な動作により、膝ボトム５３の傾斜角度はアクチュエータ２３（図８（ａ）参照）により変化させることができる。
【００２４】
次に、電動ベッド１の運搬時等に、電動ベッド１を梱包する方法について説明する。図７は支持部の梱包時の状態を示す斜視図であり、図８（ａ）及び（ｂ）はベッド本体を示す斜視図であり、（ａ）はベッド使用時の状態を示し、（ｂ）は梱包時の状態を示す。また、図９はアクセサリーフレームの梱包時の状態を示す斜視図である。
【００２５】
図７乃至図９に示すように、電動ベッド１を運搬する際には、電動ベッド１を支持部２、ベッド本体１１及びアクチュエータ２１乃至２３、アクセサリーフレーム３１、並びにアクセサリーフレーム３２の４つの部品に分解し、このうちアクセサリーフレーム３１及び３２は１つの梱包体に収納し、合計３つの梱包体を作製する。なお、各ボトム、マットレス（図示せず）、その他の付属品（図示せず）等は、この３つの梱包体の隙間に収納するか、他の梱包体として梱包する。
【００２６】
先ず、支持部２の梱包方法について説明する。図７に示すように、先ず、ベッド本体１１の爪部１４を支持部２の支軸部材７ａ及び７ｂに連結している軸２０を外し、支持部２をベッド本体１１から分離する。次に、支持台４を取り外す。そして、支持部２の頭部側及び足部側を夫々梱包材８１及び８２を覆うことにより梱包する。なお、梱包材は衝撃を緩和するものであればよく、例えば段ボール紙等でもよい。
【００２７】
次に、ベッド本体１１の梱包方法について説明する。先ず、ボルト４５を外すことにより、アクセサリーフレーム３１をベッド本体１１のベッドフレーム２７から分離する。また、ボルト４６を外すことにより、アクセサリーフレーム３２をベッド本体１１のベッドフレーム２７から分離する。このようにして、支持部２を分離したベッド本体１１から、アクセサリーフレーム３１及び３２を取り外す。なお、図８（ａ）に示すように、ベッド使用時には、背上リンク１６がベッドフレーム２７の外側に延出している。
【００２８】
一方、図２及び図５に示すように、起動リンク１７は回転軸部材１５に対して回転可能に連結されていると共に、アクチュエータ２１と背上リンク１６との間の力の伝達経路には、起動リンク１７の突出部１７ａとリンクストッパ１８の突出部１８ａとの当接面１９が介在している。このため、アクチュエータ２１と背上リンク１６との間において、起動リンク１７の突出部１７ａがリンクストッパ１８の突出部１８ａを押圧するような力は伝わるが、突出部１７ａと突出部１８ａとが相互に離隔するような力は伝わらない。従って、ベッド本体１１の梱包時には、作業者が背上リンク１６を手作業で方向７３に回転させれば、リンクストッパ１８の突出部１８ａが起動リンク１７の突出部１７ａから離れるため、背上リンク１６の回転はアクチュエータ２１には伝わらない。即ち、背上リンク１６はアクチュエータ２１から開放され、アクチュエータ２１に拘束されることがない。この結果、背上リンク１６を方向７３に回転させて、ベッドフレーム２７内に収納することができる。
【００２９】
なお、図１０は従来の電動ベッドのベッド本体における回転軸部材と背上リンクとの連結部分及び回転軸部材と起動リンクとの連結部分を示す図である。なお、図１０においては、本実施形態の構成要素と同じ構成要素には同じ符号を付し、その詳細な説明を省略している。図１０に示すように、従来の電動ベッドにおいては、起動リンク１１７が回転軸部材１５に対して固定されている。このため、アクチュエータのピストン２１ｂが方向７１に移動する場合も方向７４に移動する場合も、その力は起動リンク１１７及び回転軸部材１５を介してそのまま背上リンク１６に伝達される。従って、背上リンク１６をベッドフレーム２７内に収納するために、背上リンク１６をベッド使用時の起立位置を越えて方向７３に回転させようとすると、アクチュエータのピストン２１ｂが方向７１に引っ張られてその可動域の端部に到達してしまい、それ以上方向７１に動くことができなくなる。このため、背上リンク１６はピストン２１ｂに拘束されてしまい、背上リンク１６をベッドフレーム２７内に収納できるほど十分には、方向７３に回転させることができない。このため、仮に、ベッド本体を支持部から分離したとしても、ベッド本体を十分に小さく梱包することはできない。
【００３０】
これに対して、上述の如く、本実施形態においては、起動リンク１７を回転軸部材１５に回転可能に連結し、リンクストッパ１８を設けてリンクストッパ１８の突出部１８ａと起動リンク１７の突出部１７ａとの当接面１９を介して力が伝わるようにしているため、背上リンク１６を十分に回転させてベッドフレーム２７内に収納することができる。
【００３１】
次に、アクセサリーフレーム３１及び３２の梱包方法について説明する。図９に示すように、ベッド本体１１から分離したアクセサリーフレーム３１及び３２は、梱包材８３を介して積み重ねて梱包する。なお、従来の電動ベッドにおいては、アクセサリーフレームが一体型であるため、仮にアクセサリーフレームをベッド本体から分離したとしても、アクセサリーフレームを十分に小さく梱包することはできない。
【００３２】
このように、本実施形態においては、電動ベッド１を運搬する際には、電動ベッド１を支持部２、ベッド本体１１及びアクチュエータ２１乃至２３、アクセサリーフレーム３１及び３２の３つの梱包体に分解することができるため、個々の梱包体を小さく且つ軽量にすることができる。また、アクセサリーフレームがアクセサリーフレーム３１及び３２の２つの部材から構成されており、梱包時にはアクセサリーフレーム３１及び３２を相互に分離して積み重ねることができるため、アクセサリーフレームの梱包体をより一層小さくすることができる。更に、アクセサリーフレーム３１はベッドフレーム２７の頭部側に連結されるものであり、アクセサリーフレーム３２はベッドフレーム２７の足部側に連結されるものであるため、アクセサリーフレーム３１及び３２の垂直方向から見た形状を、正方形に近い形状とすることができる。このため、梱包体の長手方向の長さを短くすることができる。更にまた、アクセサリーフレーム３１及び３２を取り外した後のベッド本体１１において、背上リンク１６をベッドフレーム２７の内部に収納できるため、ベッド本体の梱包体を十分に更にすることができる。この結果、運搬時の作業性が向上し、作業者の肉体的負担を軽減できると共に、一般住宅に搬入又は一般住宅から搬出する際にも、家具及び壁等に衝突して、家具、壁又は電動ベッドが損傷することを防止できる。
【００３３】
次に、本発明の第２の実施形態について説明する。図１１は本実施形態に係る電動ベッドにおける回転軸部材と背上リンクとの連結部分及び回転軸部材と起動リンクとの連結部分を示す側面図である。図１１に示すように、本実施形態においては、前述の第１の実施形態と比較して、起動リンク１７（図５参照）の替わりに起動リンク９１が設けられており、リンクストッパ１８（図５参照）の替わりにリンクストッパ９２が設けられている。起動リンク９１は回転軸部材１５に対して回転可能に連結されている。また、アクチュエータ２１のピストン２１ｂにはピン２５が嵌合する孔９４が形成されているが、孔９４はその短径がピン２５の外径とほぼ等しく、その長径がピン２５の外径よりも大きい楕円形になっている。孔９４の長径方向は方向７１と平行である。そして、孔９４におけるピン２５の長径方向両側には、樹脂９５が埋め込まれている。この樹脂９５は、アクチュエータ２１の駆動に伴う騒音を弱めるものである。なお、リンクストッパ９２には突出部は形成されていない。また、リンクストッパ９２は回転軸部材１５に対して固定されており、リンクストッパ９２には、回転軸部材１５の軸方向に延出し、起動リンク９１の移動域に介在するように、ピン９３が取り付けられている。本実施形態における上記以外の構成は、前述の第１の実施形態と同様である。
【００３４】
本実施形態においては、アクチュエータ２１のピストン２１ｂが方向７１に移動するときには、起動リンク９１が方向７２に回転し、ピン９３に当接してこれを押圧する。これにより、リンクストッパ９２及び回転軸部材１５が方向７３に回転し、背上リンク１６が方向７３に回転する。一方、アクチュエータ２１のピストン２１ｂが方向７４に移動するときには、起動リンク９１はピン９３から離れる方向に回転するため、アクチュエータ２１の力はリンクストッパ９２には伝わらない。しかし、背ボトム５１の重みにより、背上リンク１６、回転軸部材１５及びリンクストッパ９２は方向７５に回転する。そして、ベッド本体を梱包する際には、作業者が手作業で背上リンク１６を方向７３に回転させることにより、回転軸部材１５及びリンクストッパ９２も方向７３に回転し、ピン９３が起動リンク９１から離れる。このため、背上リンク１６の回転がアクチュエータ２１に伝達されないため、背上リンク１６をアクチュエータ２１に拘束されずに方向７３に十分に回転させ、背上リンク１６をベッドフレーム２７内に収納することができる。これにより、ベッド本体の梱包体を小さくすることができる。本実施形態における上記以外の動作及び効果は、前述の第１の実施形態と同様である。
【００３５】
次に、本発明の第３の実施形態について説明する。図１２は本実施形態に係る電動ベッドにおける回転軸部材と背上リンクとの連結部分及び回転軸部材と起動リンクとの連結部分を示す側面図である。図１２に示すように、本実施形態においては、前述の第１の実施形態と比較して、起動リンク１７（図５参照）の替わりに、回転軸部材１５に対して固定された起動リンク９７が設けられている。また、リンクストッパ１８（図５参照）は設けられていない。更に、アクチュエータ２１（図１参照）の替わりに、アクチュエータ９６が設けられている。アクチュエータ９６はアクチュエータ２１と比較して、そのピストン９６ｂが大きく延出するようになっている。本実施形態における上記以外の構成は、前述の第１の実施形態と同様である。
【００３６】
本実施形態においては、起動リンク９７が回転軸部材１５に固定されているため、アクチュエータ９６のピストン９６ｂが方向７１に移動する場合も方向７４に移動する場合も、その力は起動リンク９７及び回転軸部材１５を介してそのまま背上リンク１６に伝達される。しかしながら、起動リンク９６のピストン９６ｂは、方向７１に十分に大きく延出できるようになっている。このため、背上リンク１６をベッドフレーム２７内に収納できる程度に背上リンク１６を方向７３に回転させても、ピストン９６ｂはこの回転に追従して延出することができる。このため、背上リンク１６をベッドフレーム２７内に収納することができ、ベッド本体１１の梱包サイズをコンパクトにすることができる。本実施形態における上記以外の動作及び効果は、前述の第１の実施形態と同様である。
【００３７】
なお、本実施形態において、アクチュエータとしてピストンを大きく延出させることができない通常のアクチュエータ２１（図１参照）を使用し、梱包時にはピン２５を抜くことにより、アクチュエータのピストンと起動リンクとを相互に分離し、背上リンク１６を方向７３に回転させることもできる。
【図面の簡単な説明】
【００３８】
【図１】本発明の第１の実施形態に係る電動ベッドを示す平面図である。
【図２】この電動ベッドを示す側面図である。
【図３】この電動ベッドの支持台を示す平面図である。
【図４】この電動ベッドのベッド本体を示す平面図である。
【図５】このベッド本体を示す一部拡大側面図である。
【図６】この電動ベッドのアクセサリーフレームを示す平面図である。
【図７】本実施形態における支持部の梱包時の状態を示す斜視図である。
【図８】（ａ）及び（ｂ）は本実施形態におけるベッド本体を示す斜視図であり、（ａ）はベッド使用時の状態を示し、（ｂ）は梱包時の状態を示す。
【図９】本実施形態におけるアクセサリーフレームの梱包時の状態を示す斜視図である。
【図１０】従来の電動ベッドのベッド本体における回転軸部材と背上リンクとの連結部分及び回転軸部材と起動リンクとの連結部分を示す側面図である。
【図１１】本発明の第２の実施形態に係る電動ベッドにおける回転軸部材と背上リンクとの連結部分及び回転軸部材と起動リンクとの連結部分を示す側面図である。
【図１２】本発明の第３の実施形態に係る電動ベッドにおける回転軸部材と背上リンクとの連結部分及び回転軸部材と起動リンクとの連結部分を示す側面図である。
【符号の説明】
【００３９】
１；電動ベッド
２；支持部
３；支持フレーム
３ａ〜３ｄ；パイプ
４；支持台
５ａ、５ｂ；リンク支持部
６ａ、６ｂ；リンク
７ａ、７ｂ；支軸部材
８ａ、８ｂ；リンク
９；連結部材
１０；リンク
１１；ベッド本体
１２ａ、１２ｂ、１３ａ、１３ｂ；パイプ
１４；爪部材
１４ａ；切込
１５；回転軸部材
１６；背上リンク
１７；起動リンク
１７ａ；突出部
１８；リンクストッパ
１８ａ；突出部
１９；当接面
２０；軸
２１、２２、２３；アクチュエータ
２１ａ、２２ａ；シリンダ
２２ａ、２２ｂ；ピストン
２５；ピン
２７；ベッドフレーム
３１、３２；アクセサリーフレーム
３３、３７；本体部
３４、３５、３６、３８、３９、４０；張出部
４５、４６；ボルト
５１；背ボトム
５２；腰ボトム
５３；膝ボトム
５４；足ボトム
５５；背ボトム支持材
６１；天板
６２；足板
６３；カバー
７１〜７６；方向
８１〜８３；梱包材
９１；起動リンク
９２；リンクストッパ
９３；ピン
９４；孔
９５；樹脂
９６；アクチュエータ
９６ｂ；ピストン
９７；起動リンク
１１７；起動リンク
【図１】
2005087374.tif 000003
【図２】
2005087374.tif 000004
【図３】
2005087374.tif 000005
【図４】
2005087374.tif 000006
【図５】
2005087374.tif 000007
【図６】
2005087374.tif 000008
【図７】
2005087374.tif 000009
【図８】
2005087374.tif 000010
【図９】
2005087374.tif 000011
【図１０】
2005087374.tif 000012
【図１１】
2005087374.tif 000013
【図１２】
2005087374.tif 000014